(57)【要約】【課題】均一な霧化を発生させやすい塗布器具を提供する。【解決手段】塗布器具２は、管状部１７と、第１液を吐出させる第１ノズル２３と、第２液を吐出させる第２ノズル２４と、第１ノズル２３および第２ノズル２４の位置を規定し、第１ノズル２３および第２ノズル２４の外周から噴出するガスの噴射口を規定する筒状のノズルヘッド２０と、を備える。管状部１７には、ノズルヘッド２０の軸線Ｌ方向に対して屈曲可能な可撓性の方向調整部５０が接続されている。第１ノズル２３および第２ノズル２４は、軸線Ｌ方向に直交する幅方向に離間して配置されている。ノズルヘッド２０の外周面には、軸線Ｌ方向および幅方向の両方に直交する高さ方向の両側において、少なくとも幅方向に延在する一対の把持面４５が形成されている。【選択図】図１
2018000562.tif 000002
【特許請求の範囲】
【請求項１】
圧縮ガスを用いて第１液と第２液とを霧化および混合するための塗布器具であって、
前記第１液が供給される第１液供給管と、
前記第２液が供給される第２液供給管と、
前記第１液供給管および前記第２液供給管を収納する管状部と、
前記第１液供給管の先端に設けられ、前記第１液を第１吐出口から吐出させる第１ノズルと、
前記第２液供給管の先端に設けられ、前記第２液を第２吐出口から吐出させる第２ノズルと、
前記管状部の先端に設けられ、前記第１ノズルおよび前記第２ノズルの位置を規定し、第１ノズルおよび第２ノズルの外周から噴出するガスの噴射口を規定する筒状のノズルヘッドと、を備え、
前記管状部には、前記ノズルヘッドの軸線方向に対して屈曲可能な可撓性の方向調整部が接続されており、
前記第１ノズルおよび前記第２ノズルは、前記軸線方向に直交する幅方向に離間して配置されており、
前記ノズルヘッドの外周面には、前記軸線方向および前記幅方向の両方に直交する高さ方向の両側において、少なくとも前記幅方向に延在する一対の把持面が形成されている、塗布器具。
【請求項２】
前記把持面は、前記幅方向および前記軸線方向に平行な平坦面である、請求項１に記載の塗布器具。
【発明の詳細な説明】
【技術分野】
【０００１】
本発明は、特に、２液混合型の塗布器具に関する。
【背景技術】
【０００２】
従来、２液混合型の塗布器具が知られている。たとえば特許文献１に記載されるように、フィブリノーゲンとトロンビンの２液からなる生体組織接着剤に用いられる塗布器具が知られている。この塗布器具では、２液のそれぞれにスプレーヘッドとチューブとが設けられる。チューブ内を流れた薬液は、先端の噴出口から噴出され、粒子状にせん断されて噴霧される。噴出口から噴霧されたフィブリノーゲンとトロンビンは、塗布面へ塗布されるまでの過程において初めて接触し、塗布面において凝固する。
【０００３】
特許文献１に記載の塗布器具は、柔軟な材質からなるチューブを備え、このチューブは屈曲可能になっている。チューブは、任意の角度でかつ任意の曲率で曲げられ得る。チューブ内には針金が埋設されており、チューブは曲げられた姿勢を維持できるようになっている。
【先行技術文献】
【特許文献】
【０００４】
【特許文献１】特開２００３−２３５９７７号公報
【発明の概要】
【発明が解決しようとする課題】
【０００５】
上記した塗布器具のように屈曲可能な部分を備えていると、チューブが曲げられる方向によっては、２つの噴出口に段差ができてしまう。たとえば、図７に示されるように、屈曲可能な部分１４０を、２つの流路１３３，１３４が並ぶ方向に曲げてしまうと、ノズルヘッド１２０の２つの噴出口１３３ａ，１３４ａに段差が生じてしまう。流路１３３が曲率の内側となるように曲げた場合（図７の右側の仮想線参照）、噴出口１３３ａは突出する一方、噴出口１３４ａは引っ込む。流路１３４が曲率の内側となるように曲げた場合（図７の左側の仮想線参照）、噴出口１３３ａは引っ込む一方、噴出口１３４ａは突出する。このように、チューブが曲げられた状態では、段差が発生することによって対象面までの距離が異なってしまうため、均一な霧化が難しくなってしまう。
【０００６】
本発明は、均一な霧化を発生させやすい塗布器具を提供することを目的とする。
【課題を解決するための手段】
【０００７】
本発明の一態様に係る塗布器具は、圧縮ガスを用いて第１液と第２液とを霧化および混合するための塗布器具であって、第１液が供給される第１液供給管と、第２液が供給される第２液供給管と、第１液供給管および第２液供給管を収納する管状部と、第１液供給管の先端に設けられ、第１液を第１吐出口から吐出させる第１ノズルと、第２液供給管の先端に設けられ、第２液を第２吐出口から吐出させる第２ノズルと、管状部の先端に設けられ、第１ノズルおよび第２ノズルの位置を規定し、第１ノズルおよび第２ノズルの外周から噴出するガスの噴射口を規定する筒状のノズルヘッドと、を備え、管状部には、ノズルヘッドの軸線方向に対して屈曲可能な可撓性の方向調整部が接続されており、第１ノズルおよび第２ノズルは、軸線方向に直交する幅方向に離間して配置されており、ノズルヘッドの外周面には、軸線方向および幅方向の両方に直交する高さ方向の両側において、少なくとも幅方向に延在する一対の把持面が形成されている。
【０００８】
この塗布器具によれば、第１液供給管の先端に設けられた第１ノズルの第１吐出口から、第１液が吐出され、第２液供給管の先端に設けられた第２ノズルの第２吐出口から、第２液が吐出される。このとき、第１吐出口から吐出される第１液および第２吐出口から吐出される第２液が、圧縮ガスによって霧化および混合される。管状部は可撓性の方向調整部を含むため、方向調整部が屈曲すると、ノズルヘッドの向きも変わる。ノズルヘッドには、一対の把持面が形成されており、把持面は、第１ノズルおよび第２ノズルが並ぶ方向である幅方向に、少なくとも延在している。よって、医師等の操作者は、この幅方向に延在する把持面をつかみやすい。把持面がつかまれると、把持面に交差する方向、すなわち幅方向に交差する方向に方向調整部は曲げられ得る。よって、第１吐出口と第２吐出口との間に段差（位置ずれ）は生じにくくなる。その結果として、均一な霧化を発生させやすくなっている。
【０００９】
いくつかの態様において、把持面は、幅方向および軸線方向に平行な平坦面である。把持面が平坦面であると、把持面を確実につかむことができ、曲げ操作の操作性が向上する。また把持面が幅方向に平行であると、方向調整部は、把持面に直交する方向、すなわち高さ方向に向けて曲げられ得る。よって、第１液供給管と第２液供給管との曲率半径は略同一となり、第１吐出口と第２吐出口との間に段差が生じることはない。よって、安定した霧化が可能である。
【発明の効果】
【００１０】
本発明のいくつかの態様によれば、第１吐出口と第２吐出口との間に段差は生じにくくなり、均一な霧化を発生させやすくなる。
【図面の簡単な説明】
【００１１】
【図１】本発明の第１実施形態に係る塗布器具が適用された装置の構成例を示す図である。
【図２】図１の塗布器具を示す斜視図である。
【図３】図２の塗布器具の先端部の斜視図である。
【図４】図４（ａ）は図３の先端部を軸線方向の先端側から見た図、図４（ｂ）は図４（ａ）のIVb-IVb線に沿う断面図である。
【図５】図５（ａ）は幅方向への曲げにくさを示す平面図、図５（ｂ）は高さ方向への曲げやすさを示す側面図である。
【図６】方向調整部が屈曲する状態を示す斜視図である。
【図７】従来の塗布器具が幅方向に曲げられた状態を示す断面図である。
【図８】ノズルヘッド部分を、ノズルの長手方向の中心軸に垂直な方向で切断した断面図である。
【発明を実施するための形態】
【００１２】
以下、本発明の実施形態について、図面を参照しながら説明する。なお、図面の説明において同一要素には同一符号を付し、重複する説明は省略する。
【００１３】
図１および図２を参照して、本実施形態に係る塗布器具２および塗布器具２が適用された塗布装置１について説明する。図１に示されるように、たとえば、塗布装置１は胸腔手術に適用される装置であり、その場合、生体用接着剤を患者の患部に塗布するためのものである。塗布装置１は、生体用接着剤塗布機器としての塗布器具２を備える。塗布装置１は、塗布器具２に接続されたガス配管４と、ガス配管４を介して塗布器具２に圧縮ガスを供給する圧縮ガス源３とを備える。ガス配管４には、フィルタ６等が適宜設けられる。圧縮ガス源３は、圧縮されたガスを供給または生成可能なものであれば、どのようなものであってもよい。圧縮ガスは、たとえば圧縮空気である。
【００１４】
塗布器具２は、たとえば、ディスポーザブル（使い捨て）タイプの器具である。図１および図２に示されるように、塗布器具２には、第１液である主剤が充填された第１シリンジＡ１と、第２液である硬化剤が充填された第２シリンジＡ２とが取り付けられる。より詳細には、塗布器具２の本体１０の後端部には、それぞれ円筒状の第１シリンジ保持部１１および第２シリンジ保持部１２が設けられている。第１シリンジ保持部１１に第１シリンジＡ１の先端が挿入されて保持され、第２シリンジ保持部１２に第２シリンジＡ２の先端が挿入されて保持される。第１シリンジＡ１と第２シリンジＡ２とは、たとえば平行に設置される。第１シリンジＡ１および第２シリンジＡ２の大きさは、同じであってもよいし、異なっていてもよい。
【００１５】
主剤および硬化剤の種類や物質名は特に限定されるものではない。一例として、主剤はフィブリノーゲン含有溶液であってもよく、硬化剤はトロンビン含有溶液であってもよい。主剤および硬化剤は、混合されることによって接着剤としての機能を発揮する。
【００１６】
第１シリンジＡ１および第２シリンジＡ２には、それぞれピストンおよびロッド（押子）が挿入されており、これらが１つの操作部１４によって、操作可能になっている。操作部１４は、第１シリンジＡ１および第２シリンジＡ２に対して共用化されている。操作者（医師等）が操作部１４を軸線方向に押圧して押し込むことにより、第１シリンジＡ１内の主剤と、第２シリンジＡ２内の硬化剤とが同時に本体１０内に送られる。
【００１７】
塗布器具２の本体１０には、第１シリンジ保持部１１および第２シリンジ保持部１２の先端側の近傍においてガス導入部１６が設けられている。ガス導入部１６にはガス配管４が接続されている。本体１０は、ガス導入部１６に連続して設けられ、軸線方向に真っ直ぐに延びる細長い管状部１７を有する。管状部１７は、たとえば、外径が５ｍｍ程度であり、長さが３０ｃｍ程度の中空管である。第１シリンジＡ１および第２シリンジＡ２の軸線と、管状部１７の軸線とは、たとえば平行である。管状部１７の内部空間は、ガス導入部１６の内部空間に連通している。これにより、圧縮ガス源３から供給された圧縮ガスは、管状部１７内を通る。
【００１８】
一方で、図４（ｂ）に示されるように、管状部１７内には、第１シリンジ保持部１１に接続されて主剤を流通させる第１液供給管２１と、第２シリンジ保持部１２に接続されて硬化剤を流通させる第２液供給管２２とが配置されている。第１液供給管２１には、第１シリンジＡ１からの主剤が供給され、第２液供給管２２には、第２シリンジＡ２からの硬化剤が供給される。上記した圧縮ガスの流路は、管状部１７内であって、第１液供給管２１および第２液供給管２２の外部に形成される。
【００１９】
塗布器具２は、第１液供給管２１の先端に設けられた第１ノズル２３と、第２液供給管２２の先端に設けられた第２ノズル２４とを備える。塗布器具２は、管状部１７の先端に設けられたノズルヘッド２０を備える。ノズルヘッド２０は、第１ノズル２３および第２ノズル２４の位置を規定し、第１ノズル２３および第２ノズル２４の外周から噴出するガスの噴射口を規定する。ノズルヘッド２０は、たとえば、円錐台状をなす管状のキャップである。なお、ノズルヘッド２０は、円筒状をなしてもよい。第１ノズル２３の先端に形成された第１吐出口２３ａおよび第２ノズル２４の先端に形成された第２吐出口２４ａは、ノズルヘッド２０の先端面２６から露出している（図４参照）。第１ノズル２３は、第１吐出口２３ａから主剤を吐出させる。第２ノズル２４は、第２吐出口２４ａから硬化剤を吐出させる。
【００２０】
このように、管状部１７およびノズルヘッド２０からなる１本の管状体の内部に、先端に第１ノズル２３が接続された第１液供給管２１、および、先端に第２ノズル２４が接続された第２液供給管２２からなる２本の管状体が収納されている。これらの２本の管状体は、たとえば、略平行に配置されている。管状部１７とは別体のノズルヘッド２０が、管状部１７の先端に取り付けられてもよいし、ノズルヘッド２０が、管状部１７と一体に形成されてもよい。第１液供給管２１とは別体の第１ノズル２３が、第１液供給管２１の先端に取り付けられてもよいし、第１ノズル２３が、第１液供給管２１と一体に形成されてもよい。第２液供給管２２とは別体の第２ノズル２４が、第２液供給管２２の先端に取り付けられてもよいし、第２ノズル２４が、第２液供給管２２と一体に形成されてもよい。
【００２１】
２液混合型の塗布装置１および塗布器具２では、管状部１７は、トロッカーと呼ばれる管状部材の小孔から患者の体内に挿入される。まず、圧縮ガス源３より圧縮ガスをノズルヘッド２０に供給し、第１ノズル２３及び第２ノズル２４の外周から噴出させた状態で、操作部１４を操作し、第１ノズル２３及び第２ノズル２４よりそれぞれ塗布材を吐出する。操作部１４の操作に応じて、第１液供給管２１および第１ノズル２３に供給された主剤は第１吐出口２３ａから吐出され、第２液供給管２２および第２ノズル２４に供給された硬化剤は第２吐出口２４ａから吐出される。このとき、ノズルヘッド２０内の第１流路３１および第２流路３２（図５（ｂ）参照）を通った圧縮ガスが先端面２６から噴射され、主剤および硬化剤と圧縮ガスとが衝突することにより、せん断力が主剤および硬化剤に作用し、主剤および硬化剤が霧化させられる。塗布を終了する場合は、操作部１４の操作を止め、塗布剤の吐出を終了してから、圧縮ガス源３よりの圧縮ガスのノズルヘッド２０への供給を止める。
【００２２】
上記のようにして、噴霧が行われる。塗布器具２では、２液を霧状に噴霧し確実に混合させながら、２液の混合によって得られる生体用接着剤を、均一かつ広範囲に塗布することができる。なお、主剤と硬化剤の供給比率は、たとえば１対１（等量）である。
【００２３】
本実施形態の塗布器具２は、操作者がノズルヘッド２０を鉗子等で把持して、管状部１７の先端部に接続されている方向調整部５０を曲げ、ノズルヘッド２０の方向を変更できる機構を備えている。しかも、管状部１７が曲げられる方向は一定方向に制限されており、これによって、不均一な霧化が生じることが防止されている。
【００２４】
以下、図３〜図６を参照して、ノズルヘッド２０および管状部１７の構造について説明する。図４（ｂ）に示されるように、第１ノズル２３および第２ノズル２４は、ノズルヘッド２０の軸線Ｌに沿って配置されている。第１ノズル２３の第１ノズル軸線Ｂ１および第２ノズル２４の第２ノズル軸線Ｂ２は、軸線Ｌに平行である。第１ノズル２３および第２ノズル２４は、軸線Ｌに直交する幅方向に離間している。幅方向とは、複数のノズルである第１ノズル２３および第２ノズル２４が並ぶ方向である。
【００２５】
ノズルヘッド２０は、たとえば円錐台状の周壁部２５と、周壁部２５の先端側に形成された平坦な先端面２６とを含む。ノズルヘッド２０内には、軸線Ｌ方向に沿って延びる第１貫通孔２７および第２貫通孔２８が形成されている。第１貫通孔２７および第２貫通孔２８は、平行に延在しており、それぞれ、ノズルヘッド２０を軸線Ｌ方向に貫通している。第１貫通孔２７および第２貫通孔２８は、幅方向に離間している。第１貫通孔２７および第２貫通孔２８の間には、中央壁２９が存在する。
【００２６】
第１貫通孔２７内に、第１ノズル２３が配置される。第２貫通孔２８内に、第２ノズル２４が配置される。図８に示されるように、第１ノズル２３および第２ノズル２４は、たとえば、第１貫通孔２７および第２貫通孔２８の内壁面に設けられた複数の支持突起３６によって、周方向の複数箇所を支持されている。たとえば、図８に示されるように、第１貫通孔２７の内壁面には、周方向に等間隔に配置された３つの支持突起３６が設けられている。支持突起３６の先端（径方向内方の先端）は、第１ノズル２３の外周面に当接する。３つの支持突起３６は等しい形状および大きさを有しており、第１貫通孔２７に対して、第１ノズル２３は同軸状に設置されている。それぞれの形状および大きさを変えれば、意図的に同軸上からずれた位置に設置する事も出来る。第２ノズル２４は、第２貫通孔２８に対して同様に設置されている。この構造により、第１ノズル２３および第２ノズル２４は、第１貫通孔２７および第２貫通孔２８の内部において位置決めされ、保持されている。
【００２７】
上記したように、第１ノズル２３の第１吐出口２３ａと、第２ノズル２４の第２吐出口２４ａとは、それぞれ、ノズルヘッド２０の先端面２６から露出している。図３および図４（ｂ）に示されるように、第１吐出口２３ａは、先端面２６よりも前方に突出してもよい。第２吐出口２４ａは、先端面２６よりも前方に突出してもよい。第１吐出口２３ａは、第１ノズル軸線Ｂ１に直交する開口として形成されており、第２吐出口２４ａは、第２ノズル軸線Ｂ２に直交する開口として形成されている。先端面２６は、第１吐出口２３ａおよび第２吐出口２４ａに対して略平行である。第１吐出口２３ａおよび第２吐出口２４ａは、たとえば、軸線Ｌ方向において同じ位置にある。なお、第１吐出口２３ａおよび第２吐出口２４ａは、軸線Ｌ方向において先端面２６と同じ位置にあってもよく、先端面２６より僅かに引っ込んだ位置にあってもよい。いずれにしても、第１吐出口２３ａと第２吐出口２４ａとは、先端面２６から露出しており、外部（前方）に臨んでいる。なお、「前方」は、吐出方向を基準としている。
【００２８】
図４（ａ）および図４（ｂ）に示されるように、第１ノズル２３とノズルヘッド２０との間、すなわち第１ノズル２３と第１貫通孔２７との間には、円筒状の第１流路（ガス流路）３１が形成されている。第２ノズル２４とノズルヘッド２０との間、すなわち第２ノズル２４と第２貫通孔２８との間には、円筒状の第２流路（ガス流路）３２が形成されている。これらの第１流路３１および第２流路３２は、管状部１７と、第１液供給管２１および第２液供給管２２との間に形成された上記の流路に連続している。管状部１７内を通過した圧縮ガスは、途中で分岐して、これらの２つの第１流路３１および第２流路３２を通る。第１流路３１および第２流路３２の先端には、環状の噴射口がそれぞれ形成されている。
【００２９】
第１流路３１に対する第１ノズル２３の配置・構造と、第２流路３２に対する第２ノズル２４の配置・構造とは、軸線Ｌを通り且つ幅方向に垂直な仮想平面に関して対称である。なお、第１流路３１に対する第１ノズル２３の配置・構造と、第２流路３２に対する第２ノズル２４の配置・構造とが、上記仮想平面に関して対称でなくてもよい。これらは、２液の霧化および混合の態様に応じて、非対称とされてもよい。
【００３０】
図３に示されるように、本実施形態の塗布器具２において、管状部１７の先端側とノズルヘッド２０の基端側との間には、軸線Ｌに対して屈曲可能な可撓性の方向調整部５０が設けられている。管状の方向調整部５０は、たとえば軟質のゴム等からなってもよい。方向調整部５０は、屈曲させる方向への外力が加わると、当該方向へ屈曲し、その外力がなくなった後も、屈曲状態が維持される。すなわち、方向調整部５０は、可撓性を有する。方向調整部５０は、透明であってもよく、半透明であってもよい。方向調整部５０は、不透明であってもよい。なお、方向調整部５０は、外力がなくなった後に、元の真っ直ぐな管状に戻る復元性を有する態様であってもよい。
【００３１】
図６に示されるように、方向調整部５０は、あらゆる曲率に屈曲可能である。方向調整部５０は、たとえば、ノズルヘッド２０の軸線Ｌを１８０°方向転換することも可能になっている。すなわち、その場合、方向調整部５０はＵ字状に屈曲する。なお、方向調整部５０の長さは特に限定されない。方向調整部５０の長さは、求められる手術の内容や使用形態に応じて変更されてもよい。
【００３２】
ノズルヘッド２０の外周面には、軸線Ｌ方向および幅方向の両方に直交する高さ方向の両側において、一対の把持面５５が形成されている。各把持面５５は、幅方向および軸線Ｌ方向に延在する。各把持面５５は、たとえば、幅方向および軸線Ｌ方向に平行な平坦面である。図５（ｂ）に示されるように、一対の把持面５５は、平行である。一対の把持面５５は、たとえば、軸線Ｌを通り且つ幅方向に平行な仮想平面に関して対称である。
【００３３】
この把持面５５は、塗布器具２の操作者によって、鉗子等の器具によって把持される部分である。把持面５５は、器具の把持部よりも大きく形成されている。
【００３４】
一対の把持面５５は、軸線Ｌ方向におけるノズルヘッド２０の全長よりも短い。把持面５５は、ノズルヘッド２０の基端側で終端しており、把持面５５と方向調整部５０との間には、段部５６が形成されている。一対の段部５６は、軸線Ｌに交差する方向に延びる。段部５６は軸線Ｌに直交する面に対して傾斜している。この傾斜により、段部５６は、鉗子等の器具を把持面５５へと案内する。また段部５６は、径方向に突出するので、鉗子等の器具が基端側に移動するのを規制する。把持面５５は、ノズルヘッド２０の先端面２６には達していない。把持面５５と先端面２６との間には、円環状のリング部５８が形成されている。リング部５８は把持面５５よりも径方向に突出するので、鉗子等の器具が先端側に移動するのを規制する。
【００３５】
ノズルヘッド２０の外周面は、把持面５５が設けられない部分、すなわち幅方向の両側において、湾曲面５７を含む。この湾曲面５７は、たとえば、円錐台の一部分と同じ形状を有する。湾曲面５７の形状に起因して、鉗子等の器具を用いて、この湾曲面５７を把持することは困難である。
【００３６】
以上の構成を有する塗布器具２は、たとえば、操作者の一方の手によって持たれた状態で、管状部１７が患者の体内に挿入される。そして、たとえば、操作者の助手の手に持たれた鉗子等の器具によって、ノズルヘッド２０が把持され、方向調整部５０が曲げられる。これにより、ノズルヘッド２０の先端面２６が所望の向きに向けられ、患部に対して噴霧が行われる。塗布器具２は、トロッカーを１つ用いた１つのポートを用いる手術に適用されてもよく、トロッカーを複数用いた複数ポートを用いる手術に適用されてもよい。
【００３７】
本実施形態の塗布器具２によれば、第１液供給管２１の先端に設けられた第１ノズル２３の第１吐出口２３ａから、主剤が吐出され、第２液供給管２２の先端に設けられた第２ノズル２４の第２吐出口２４ａから、硬化剤が吐出される。このとき、第１吐出口２３ａから吐出される主剤および第２吐出口２４ａから吐出される硬化剤が、圧縮ガスによって霧化および混合される。管状部１７には可撓性の方向調整部５０が接続されているため、方向調整部５０が屈曲すると、ノズルヘッド２０の向きも変わる。ノズルヘッド２０には、一対の把持面５５が形成されており、把持面５５は、第１ノズル２３および第２ノズル２４が並ぶ幅方向に延在している。よって、医師等の操作者は、この幅方向に延在する把持面５５をつかみやすい。把持面５５がつかまれると、把持面５５に交差する方向、すなわち幅方向に交差する高さ方向に方向調整部５０は曲げられ得る（図５（ｂ）中の矢印参照）。よって、第１吐出口２３ａと第２吐出口２４ａとの間に段差（位置ずれ）は生じにくい。その結果として、第１吐出口２３ａおよび第２吐出口２４ａから患部までの距離が一定となり、均一な霧化を発生させやすくなっている。
【００３８】
図７に示されるように方向調整部１４０が曲げられる方向に制限のない従来の構造では、幅方向に方向調整部１４０が曲げられると、ノズルヘッド１２０の第１噴出口１３３ａと第２噴出口１３４ａとの間に段差が生じてしまって、均一な霧化が困難となっていた。そのため、２液を効率よく混合することができなかった。本実施形態の塗布器具２では、把持面５５を設けたことにより、湾曲面５７は把持しにくくなっており、方向調整部５０を幅方向へ曲げることは困難である（図５（ａ）中の矢印参照）。また把持面５５を把持した場合でも、把持面５５は幅方向に延在するため、ノズルヘッド２０を幅方向に移動させることは難しい。このような曲げ方向の制限によって、上記の問題点が解決されている。
【００３９】
また、把持面５５が幅方向に平行であると、方向調整部５０は、把持面５５に直交する方向、すなわち高さ方向に向けて曲げられ得る。よって、第１液供給管２１と第２液供給管２２との曲率半径は略同一となり、第１吐出口２３ａと第２吐出口２４ａとの間に段差が生じることはない。よって、安定した霧化が可能になっている。
【００４０】
以上、本発明の実施形態について説明したが、本発明は上記実施形態に限られない。たとえば、方向調整部５０が設けられる位置は、管状部１７の先端側に限られない。管状部１７の中央部に方向調整部５０が設けられてもよい。
【００４１】
把持面は、ノズルヘッド２０の先端面２６に達してもよい。ノズルヘッド２０の軸線Ｌ方向の基端側のみに、把持面が形成されてもよい。把持面の形状は平坦である場合に限られない。把持面に凹凸形状やギザギザな形状が設けられてもよい。把持面は湾曲する凹面状であってもよい。把持面は、軸線Ｌ方向に僅かな長さ（幅）を持ち、幅方向に延びる溝状であってもよい。上下一対の把持面が非対称であってもよい。
【００４２】
第１ノズル２３および第２ノズル２４すなわち第１ノズル軸線Ｂ１および第２ノズル軸線Ｂ２は、平行である場合に限られず、先端面２６に向かうにつれて互いに近づいてもよい。先端面２６は平坦である場合に限られず、凹面状であってもよい。
【００４３】
圧縮ガスの流路は第１ノズル２３と第２ノズル２４とに別個に設けられる場合に限られず、単一の（共通の）流路が設けられてもよい。第１ノズル２３および第２ノズル２４は、第１貫通孔２７および第２貫通孔２８に対して、それぞれ同軸状に設けられなくてもよい。第１ノズル２３および第２ノズル２４は、第１貫通孔２７および第２貫通孔２８に対して、偏心して設けられてもよい。
【００４４】
圧縮ガスに用いられるガスは、空気に限られず、たとえば窒素ガスや炭酸ガス等であってもよい。胸腔手術に限られず、他の箇所や他の種類の手術、たとえば開腹手術等に、本発明を適用することもできる。
【符号の説明】
【００４５】
１…塗布装置、２…塗布器具、１７…管状部、２０…ノズルヘッド、２１…第１液供給管、２２…第２液供給管、２３…第１ノズル、２３ａ…第１吐出口、２４…第２ノズル、２４ａ…第２吐出口、３１…第１流路（ガス流路）、３２…第２流路（ガス流路）、４５…把持面、Ｂ１…第１ノズル軸線、Ｂ２…第２ノズル軸線、Ｌ…軸線。
【図１】
2018000562.tif 000003
【図２】
2018000562.tif 000004
【図３】
2018000562.tif 000005
【図４】
2018000562.tif 000006
【図５】
2018000562.tif 000007
【図６】
2018000562.tif 000008
【図７】
2018000562.tif 000009
【図８】
2018000562.tif 000010